(57)【要約】【課題】乾燥性能を損なわず、省エネルギー性に優れた浴室換気乾燥機を提供する。【解決手段】本浴室換気乾燥機は一部の空気を浴室外に排気する一方、残りの空気をヒータを有する循環通路を介して浴室内に戻すもので、送風機及びヒータを組み合せて制御する複数の運転モードに応じて制御するコントローラを有し、このコントローラは浴室と通気する隣室に設置されかつ、この隣室の温度を検出する温度センサを備え、浴室乾燥運転時、この隣室の空気温度に応じてヒータの通電状態を制御する省エネルギー乾燥運転モードを備える。【選択図】  図３
2006275408.tif 000002
【特許請求の範囲】
【請求項１】
送風機により浴室内の空気を吸い込み、その一部を浴室外に連通する排気通路を介して浴室外に排気する一方、残りの空気をヒータを有する循環通路を介して浴室内に戻す乾燥運転モードを備えた浴室換気乾燥機において、前記送風機及び前記ヒータを組み合せて制御する複数の運転モードに応じて制御するコントローラを有し、このコントローラは浴室と通気する隣室に設置されかつ、この隣室の空気温度を検知する温度センサを備え、前記乾燥運転モードは、この温度センサの検知温度に応じて前記ヒータの通電を制御する省エネルギー乾燥運転モードを備えたことを特徴とする浴室換気乾燥機。
【請求項２】
前記乾燥運転モードは、前記温度センサの検出温度に無関係に予め設定された前記ヒータの通電時間あるいは発熱量とする標準乾燥運転モードと、前記温度センサの検出温度に応じて通電条件を変える省エネルギー乾燥運転モードを持つとともに、前記省エネルギー乾燥運転モードは運転時間をタイマーで設定し、前記運転時間中は前記送風機を連続運転するとともに、前記ヒータを運転開始直後と運転終了直前のみ通電し、前記温度センサの検出温度に応じて、前記ヒータ通電時の少なくとも一方においてヒータの通電時間を制御することを特徴とする請求項１に記載の浴室換気乾燥機。
【発明の詳細な説明】
【技術分野】
【０００１】
本発明は浴室内に設置し浴室内の暖房、換気、乾燥を行なう浴室換気乾燥機に係り、特に乾燥運転時の省エネルギー性を改善した浴室換気乾燥機に関する。
【背景技術】
【０００２】
従来、浴室内に設置し浴室内の暖房、換気、衣類の乾燥などを行なう浴室換気乾燥機として、浴室内の空気を屋外に排出しあるいは浴室内の空気を循環させる送風機と、空気を加熱するヒータとを有するものが知られている。
【０００３】
そして、このヒータの出力を種々の乾燥モードに応じて制御して、省エネルギー運転を行なえるようにしたものが提案されている（特許文献１）。しかし、この特許文献１のものは、乾燥モードを選択すると消費電力が増大し、省エネルギー乾燥運転モードを選択すれば、乾燥時間が長くなり、また、１個のヒータを使用しているため、消費電力を大幅に低減できない。
【０００４】
また、送風機とヒータとダンパーを備え、このダンパーより外部に連通する換気口と浴室に連通する吹出口を選択的に閉塞しあるいは、ダンパーを両口が開口するように中間に位置させて空気流を制御する浴室換気乾燥機が提案されている（特許文献２）。しかし、特許文献２のものは、単なる送風機とヒータの制御であり、この両者を組み合せて制御する運転モード機能を備えていないので、省エネルギーを実現できない。
【特許文献１】特開平９−６０９４１号公報
【特許文献２】特開平９−１２６５１５号公報
【発明の開示】
【発明が解決しようとする課題】
【０００５】
本発明は上述した事情を考慮してなされたもので、乾燥性能を損なわず、省エネルギー性に優れた浴室換気乾燥機を提供することを目的とする。
【課題を解決するための手段】
【０００６】
上述した目的を達成するため、本発明に係る浴室換気乾燥機は、送風機により浴室内の空気を吸い込み、その一部を浴室外に連通する排気通路を介して浴室外に排気する一方、残りの空気をヒータを有する循環通路を介して浴室内に戻す乾燥運転モードを備えた浴室換気乾燥機において、前記送風機及び前記ヒータを組み合せて制御する複数の運転モードに応じて制御するコントローラを有し、このコントローラは浴室と通気する隣室に設置されかつ、この隣室の空気温度を検知する温度センサを備え、前記乾燥運転モードは、この温度センサの検知温度に応じて前記ヒータの通電を制御する省エネルギー乾燥運転モードを備えたことを特徴とする。
【発明の効果】
【０００７】
本発明に係る浴室換気乾燥機によれば、乾燥性能を損なわず、省エネルギー性に優れた浴室換気乾燥機を提供することができる。
【発明を実施するための最良の形態】
【０００８】
以下、本発明の一実施形態に係る浴室換気乾燥機について添付図面を参照して説明する。
【０００９】
図１は本発明の一実施形態に係る浴室換気乾燥機の縦断面図、図２はその分解斜視図、図３及び図４はその使用状態を示す概念図である。
【００１０】
図１乃至図４に示すように、本発明に係る浴室換気乾燥機１は、ユニットバスなどの天井面Ｃに取り付けられる本体２を備え、この本体２の下面には着脱自在のフィルタ３ａを備えた吸込口３と、吹出口４が設けられた本体カバー５が装着され、本体２の側面には排気口６が設けられている。
【００１１】
この本体２内には吸込口３の上方にファンモータ７ａおよびファン７ｂを備えた送風機７が設けられ、この送風機７より後流側に、通電時に送風機７により吸気した空気を暖めるように付勢される第１のヒータ８ａと第２のヒータ８ｂからなるヒータ８と、ダンパーモータ９ａにより支軸９ｂを中心に回動するダンパー９が設けられている。また、本体２上面部にはファンモータ７ａやヒータ８の通電を制御する制御板１０が配置されており、制御板カバー１１で覆われている。
【００１２】
さらに、送風機７の下方にはファンケーシング１２が設けられており、このファンケーシング１２から排気口６に連通する排気通路１３が形成されるとともに、吹出口４と連通して循環通路１４が形成されている。
【００１３】
隣室Ｒ２の壁Ｒ２ａには浴室換気乾燥機１を操作し、マイクロプロセッサーなどよりなるリモート式のコントローラ１５が設けられている。図６に示すように、このコントローラ１５のコントローラケース１５ａの下部にはスリット１５ａ１が設けられ、また、その内部には温度センサ１６、さらに、必要に応じて湿度センサ１７が設けられている。また浴室Ｒ１とこの浴室Ｒ１に隣接する隣室Ｒ２を仕切る扉Ｄの下部には隣室Ｒ２の空気を浴室Ｒ１内に給気するガラリＤ１が設けられている。
【００１４】
図５に示すように、コントローラ１５にはファンモータ７ａの回転を制御するファンモータ制御器７ａ１、第１のヒータ８ａ及び第２のヒータ８ｂへの通電を制御するヒータ制御器８ｃ１、ダンパーモータ制御器９ａ１が信号線を介して接続され、後述するように浴室換気乾燥機１を制御するようになっている。
【００１５】
また、図６に示すように、コントローラケース１５ａの表面の右半分側には、換気ボタンＢ１、乾燥ボタンＢ２、涼風ボタンＢ３、暖房運転ボタンＢ４、停止ボタンＢ５からなる複数の入力ボタンが設けられている。
【００１６】
換気ボタンＢ１は送風機７を回転させて浴室Ｒ１を換気する「換気」モードを選択するために使用され、１回押す毎に「強⇔弱」の順に切り換わり、その強・弱が運転時に運転ランプＬ１、Ｌ２が点灯表示される。
【００１７】
乾燥ボタンＢ２は送風機７及びヒータ８を付勢、制御して浴室Ｒ１内の乾燥物例えば洗濯物を乾燥させる「乾燥」モードを選択するために使用され、「標準乾燥」モードと「省エネ乾燥」モードのモード切り換えにも使用され、１回押す毎に「標準乾燥」⇔「省エネ乾燥」の順に切り換わり、「標準乾燥」・「省エネ乾燥」が運転時に運転ランプＬ３、Ｌ４が点灯表示される。「標準乾燥」モードは運転中連続してヒータを通電して乾燥を行なうモード、「省エネ乾燥」モードは、給気温度が高いとき、温度センサ１６で周囲温度を検出し、例えば２３℃以上のときにヒータ８の通電時間あるいは発熱量を制御する省エネルギー乾燥運転モードである。
【００１８】
涼風ボタンＢ３はヒータ８を使用せず、送風機７を回転させて空気を取り入れ、入浴中の涼しさを得る「涼風」モードを選択するために使用され、使用時に運転ランプＬ５が点灯表示される。
【００１９】
暖房運転ボタンＢ４は冬期など浴室が低温の時ヒータ８に通電して、浴室内空気を加熱、循環させる「暖房運転」モードを選択するために使用され、「暖房運転」モードでは、ダンパー９により排気が制御され、使用時に運転ランプＬ６が点灯表示される。
【００２０】
停止ボタンＢ５は運転を中止するためのものである。
【００２１】
このような複数の入力ボタンを使用者が選択して運転モードを選択する。
【００２２】
乾燥モードは、浴室内の乾燥あるいは浴室内で衣類などの洗濯物を乾燥させるための運転モードであり、洗濯物を早く乾燥させたいなど比較的短時間での乾燥運転を行ないたい場合などには、ヒータを連続通電させて乾燥運転させる標準モードが選択され、浴室の使用後、翌朝までに室内の湿気を取り除き乾燥させておくあるいは、洗濯物を乾燥させておくための乾燥運転を行ないたい場合などは、ヒータの通電時間あるいはヒータ容量を制限し、ヒータ通電による乾燥運転とヒータを通電しない送風運転との組み合わせによる乾燥運転を行なうとともにこのヒータの通電時間あるいはヒータ容量を吸込まれる浴室に隣接する部屋の空気の温度を検出して制御する省エネルギー乾燥運転モードを選択することで、室温状態に応じてヒータの通電が制御され、省エネルギーで効率的な乾燥運転が行なえるようになっている。
【００２３】
また、コントローラケース１５ａの表面の左半分側には、運転時間の残留時間を表示する残時間表示ランプ群Ｌ７と切タイマー設定ボタンＢ６が設けられており、切タイマー設定ボタンＢ６は各モードにおける運転時間を設定するもので、１回押す毎に残時間表示が１目盛りずつ切り換わり、１秒以上押し続けると残留時間が連続して切り換わる。
【００２４】
次に本発明の一実施形態に係る浴室換気乾燥機の使用方法について、図７のフローに沿って説明する。
【００２５】
図３及び図４に示すように、洗濯物の乾燥物を浴室Ｒ１内に吊す。
【００２６】
次に図６に示すコントローラ１５の乾燥ボタンＢ２を押して「標準乾燥」モードか「省エネ乾燥」モードかいずれかの乾燥モードを選択する（Ｓ１）。
【００２７】
また、あらかじめ切タイマー設定ボタンＢ６で乾燥モード運転時間を設定しておくことで、残留時間（運転時間）を残時間表示ランプ群Ｌ７に表示させる。
【００２８】
また、乾燥モードが選択されると、図５に示すように、コントローラ１５、ファンモータ制御器７ａ１、ファンモータ７ａを介して送風機７を回転させ、ヒータ制御器８ｃ１を介して第１のヒータ８ａと第２のヒータ８ｂを発熱させる。さらに、ダンパーモータ制御器９ａ１を介してダンパーモータ９ａが回動され、図２に示すようにダンパー９が半開状態で保持される。標準乾燥モードでは、ガラリＤ１を介して隣室Ｒ２から浴室Ｒ１内に給気され、吸込口３から本体２内に吸い込まれ、一部の空気はファンモータ７ａを介してダンパー９の上方に形成された排気通路１３を通って排気口６からダクトＰを介して排気される。一方、残りの空気はダンパー９の下方に形成された循環通路１４を介してヒータ８を通り、加熱されて吹出口４から浴室Ｒ１内に吹出され、その空気により浴室Ｒ１内および浴室内の洗濯物を乾燥する。
【００２９】
乾燥モードの「省エネ乾燥」モードが選択されると、図８に示すように、運転時間が５時間に設定されている場合には、最初の１時間と最後の３０分のみヒータが通電し、その他の時間はヒータ８が通電しないように設定されている。この際、温度センサ１６により、隣室Ｒ２の温度を基準に最初に通電されるヒータ８の通電時間あるいは通電容量が制御される。
【００３０】
隣室Ｒ２の空気をガラリＤ１を介して浴室Ｒ１内に給気しており、その給気温度を温度センサ１６により検出する（Ｓ２）。
【００３１】
給気温度を所定温度Ｔと比較する（Ｓ３）。
【００３２】
設定値以上であれば、コントローラ１５によりヒータ８の通電時間を短くあるいは通電容量を小となるよう制御する（Ｓ４）。
【００３３】
隣室Ｒ２が比較的高温の場合は、この比較的高温の空気が浴室内に給気されるため、ヒータ８により加熱しない場合でも吹出口４より吹出される空気で、比較的早く浴室Ｒ１内および洗濯物が乾燥する。
【００３４】
浴室隣室Ｒ２の室温が設定値未満の場合には、コントローラ１５によりヒータ８に通電する時間を長めにあるいはヒータ８の容量を大きめになるように制御する（Ｓ５）。
【００３５】
吸込口３から吸い込まれた空気はヒータ８で加熱され、循環通路１４、吹出口４を介して浴室Ｒ１内に吹き出される。この加熱された高温空気により洗濯物が乾燥される。
【００３６】
なお、設定温度によりヒータを２段階に通電制御する場合には、ヒータへの通電を判定する給気温度の設定値をＴ１、Ｔ２の２段階設け、乾燥運転において給気温度が第１の設定値Ｔ１以上のときは１個のヒータへの通電を停止し、第２の設定値Ｔ２以上のときは２個ともヒータへの通電を停止するようにしてもよい。
【００３７】
また、湿度センサ１７を設ける場合には、給気される空気湿度を検出でき、その湿度によってヒータ８への通電を判定し、乾燥時間は給気の湿度にも影響をうけるため、より乾燥時間を安定させ、消費電力の低減を図ることができる。
【００３８】
標準乾燥モードが一定時間経過したか判定する（Ｓ６）。
【００３９】
一定時間経過していれば、コントローラ１５により、送風機７を停止させ、ヒータ８への通電を停止させ、乾燥モードは終了する。
【００４０】
一定時間経過していなければ、Ｓ３に戻り、給気温度を所定温度Ｔと比較し、以下このサイクルを繰り返す。
【００４１】
上記のように「省エネ乾燥」モードによれば、隣室から空気を導入し浴室内の乾燥を行うと共に、この導入空気の温度により、浴室内に送る空気の温度を上昇させるヒータの通電時間あるいはヒータの容量を変化させて、室温が高い場合は、通電時間を短くあるいはヒータ容量を低減させることで、省エネルギー性に優れた浴室換気乾燥機が実現される。
【００４２】
また、運転開始時から所定時間ヒータを通電し、その後ヒータをオフとして送風運転を行ない、終了直前に通電するため、浴室内は、最初に高温度の空気が送られ、衣類あるいは浴室内の壁などの水分の温度を上げて蒸発しやすくし、その後送風運転を行ない湿気を室外に排出し、乾燥が終了する直前に衣類などの温度を上げることで乾燥感を高め、ふっくらした状態に仕上げられ、省エネルギーにもなる。
【００４３】
さらに、終了直後は、乾燥した衣類などの温度を高めて乾燥感を高める目的であるため、通電時間は３０分程度の固定でよく、運転直後は、隣室の温度で通風空気の温度が変わってくるため、比較的温度が高めの場合は、ヒータの通電時間を短くしても低い温度のときと同等の効果が得られるため、効率を上げることができる。
【００４４】
上述のように本実施形態の浴室換気乾燥機によれば、乾燥性能を損なわず、省エネルギー性に優れた浴室換気乾燥機が実現される。
【図面の簡単な説明】
【００４５】
【図１】本発明に係る浴室換気乾燥機を分解して示す斜視図。
【図２】本発明に係る浴室換気乾燥機の縦断面図。
【図３】本発明に係る浴室換気乾燥機の使用状態を示す概念図。
【図４】本発明に係る浴室換気乾燥機の使用状態を示す概念図。
【図５】本発明に係る浴室換気乾燥機に用いられる制御回路図。
【図６】本発明に係る浴室換気乾燥機に用いられるコントローラの平面図。
【図７】本発明に係る浴室換気乾燥機の制御フロー図。
【図８】本発明に係る浴室換気乾燥機の省エネルギー乾燥運転モード運転時間中におけるヒータの通電状態を示す概念図。
【符号の説明】
【００４６】
１…浴室換気乾燥機、２…本体、３…吸込口、４…吹出口、６…排気口、７…送風機、７ａ…ファンモータ、８…ヒータ、９…ダンパー、１３…排気通路、１４…循環通路、１５…コントローラ、１５ａ…コントローラケース、１６…温度センサ、１７…湿度センサ、Ｂ２…乾燥ボタン。
【図１】
2006275408.tif 000003
【図２】
2006275408.tif 000004
【図３】
2006275408.tif 000005
【図４】
2006275408.tif 000006
【図５】
2006275408.tif 000007
【図６】
2006275408.tif 000008
【図７】
2006275408.tif 000009
【図８】
2006275408.tif 000010